(57)【特許請求の範囲】
【請求項１】
容器（１０）であって、ねじキャップ（１２）および該ねじキャップに懸架される、オリジナリティ保証エレメントとしての係止クラウン（１４）を有し、この場合容器（１０）が、上側のねじ山部分と下側のソケット部分（３０）とを備えた内容物充填用管状接続部（２８）を有しており、前記下側のソケット部分（３０）の外側に係止突起（３２）が設けられており、該係止突起（３２）の後側へ係止クラウン（１４）のばね舌状片（３４）が、ねじキャップ（１２）の閉鎖位置において、弛み不能に係止され、ねじキャップ（１２）が再度回されたときに、ねじキャップ（１２）と係止クラウン（１４）との間に、設定破壊個所として形成された複数の薄い結合ウエブ（１６）が裂断される形式のものにおいて、
容器側にソケット部（３０）に設けられた前係止突起（３６）が、ねじキャップ側に係止クラウン（１４）に設けられたばね舌状片（３４）が互いに相応する係止エレメントとして設けられていて、前係止突起（３６）及びばね舌状片（３４）が、ねじキャップ（１２）が僅かに締め方向にねじはめられたさいに、ねじキャップのほぼ１回転後に、それもこのねじキャップが最終的な密封閉鎖位置に達する前にかつ係止クラウン（１４）のばね舌状片（３４）が容器側のソケット部（３０）に設けられた係止突起（３２）の後側に弛み不能に係止される前に、互いに不動に作用接続されもしくは前係止位置へ達し、これにより、ねじキャップ（１２）の自動的な戻り回転若しくはねじキャップ（１２）の弛みが確実に防止され、しかもねじキャップ（１２）が、ばね舌状片（３４）の弾性的なばね力に相応するある程度の固定力の克服によって、再び容易にねじ外し可能であることを特徴とする、ねじキャップを有する容器。
【請求項２】
ソケット部（３０）の上方又は斜め上方に向いている面上に少なくとも１つの、有利には２つ又は複数の、比較的フラットな前係止突起（３６）が形成されており、該前係止突起が、ねじキャップ（１２）が、締め方向に回わされるさいに、ねじキャップのほぼ１回転後に、それもこのねじキャップが最終的な密封閉鎖位置に達する前にかつ係止クラウン（１４）のばね舌状片（３４）がソケット部（３０）に設けられた外周側の係止突起（３２）の後側へ弛み不能に係止される前に、単数又は複数のばね舌状片（３４）と互いに不動に作用接続され、これにより、ねじキャップ（１２）の自動的な戻し回転が防止され、しかもねじキャップ（１２）が、解離可能な克服可能な回転ロックエレメントとしてのばね舌状片（３４）の弾性的なばね力の克服により、再びねじ外し可能であることを特徴とする、請求項１記載の容器。
【請求項３】
単数又は複数の前係止突起（３６）が平面図でみて、右側に急勾配のエッジ（４０）を有しかつ左側にフラットな緩勾配のエッジ（４２）を有するほぼ三角形に形成されており、この場合係止クラウン（１４）のねじ締め方向に傾斜しているばね舌状片（３４）が、ねじキャップ（１２）を締めるさいに、まず弾性的に急勾配のエッジ（４０）上へ滑動しかつ該エッジ後方で形状接続的に前係止位置に係止され、かつねじキャップ（１２）が弛められるさいに上記前係止位置からばね舌状片（３４）のばね力の克服により弾性的に前係止突起（３６）のフラットな緩勾配エッジ（４２）上へ滑動することを特徴とする、請求項１又は２記載の容器。
【請求項４】
ソケット部（３０）の上縁部の、外周側の係止突起（３２）の上側に、互いに半径方向外側へ延びている環状の薄い縁突起（３８）が形成されており、該突起が、ねじキャップ（１２）が閉鎖位置へねじはめられたときに、半径方向内側へ向いたばね舌状片（３４）に形状接続的に係合することを特徴とする、請求項１から３までのいずれか１項記載の容器。
【発明の詳細な説明】
本発明は、請求項１の上位概念部に記載の特徴を有する、ねじキャップ及び該ねじキャップに懸架される、オリジナリティ保証エレメントとしての係止クラウンを有する容器に関する。
上記容器は、例えば蓋に内容物充填−及び取り出し用の開口を有するブリキ板から成るバケツ状容器又は鋼薄鈑より成る缶のような金属薄鈑−容器であることができる。容器はしかし有利にはプラスチックからブロー成形法で製作された鉱油容器、塗料若しくは油脂運送用缶、樽、調節容器又はプラスチック−容器、例えば栓付き樽若しくは樽蓋及び緊締リング閉鎖装置を備えた広口樽であることができる。この種の容器はその上底部に又は上に被せられる別個の蓋に少なくとも１つの内容物充填−及び取り出し用の開口を有し、該開口はねじキャップをねじはめることによって閉鎖される。該ねじキャップは例えば、栓付き樽又は、栓体及び栓口を備えた樽蓋用に製作することができる。
容器−ねじキャップであって、別個に予め製作され差し込みにより取り付けられる、オリジナリティ保証エレメントとしての係止クラウンを備え、該係止クラウンが、ねじキャップを最初に弛めたさい又は締めたさいに、設定破壊個所としての薄い結合ウエブのところで裂断されるようになっているものが公知である。この場合、差し込み式クラウンのために、別個の射出工程用として別個の射出成形型が必要であるという欠点がある。差し込み式クラウンは別個に差し込まなければならず、例えば容器の内容物排出中における容器の取扱いの際に落ちることがあり、自動的に確保されるようになっていない。
一体に射出成形された係止クラウンを有する容器−ねじキャップも既に公知である。係止クラウンを有するこのねじキャップは、低温時の強度が低い中−又は低分子量のプラスチックから成っている。このねじキャップは従って工業用としては良い評価をえていない。それというのは低温時落下テストにおける許容条件を充たさないからである。
さらに、公知の全ての構成の欠点は、弛くねじはめられたねじキャップが、製造者から内容物取出ステーションへ輸送される間に、揺れ及び振動によって外れ、紛失することがあることである。この場合例えば貨物自動車−輸送においては百パーセントの防塵はもはや保証されない。また公知の構成では、オリジナリティリング若しくは係止クラウンは、ねじキャップが外された後はねじ山付き管状接続部にもはや固定されておらず、従って流動性の内容物が注出されるさい、即ち容器が傾けられるさい、下側の、内容物が充填される容器内へ落下することがある。またねじキャップがはめられるさいにオリジナリティリングの確実な係止が保証されず、また、連結点、即ちねじキャップと係止クラウンとの間の結合ウエブが、ねじキャップを固く締めるときにもまた外すときにも、結合ウエブが順次に裂断されるさいの、周方向の不均一なオリジナリティリング−負荷を単独に吸収しなければならない。
本発明の課題は、容器及びこれに適合した、懸架式オリジナリティリングを有するねじキャップを改良して、上記の公知の欠点を排除し、かつこの場合特にねじキャップ若しくは栓体の確実な前係止が、輸送中における防塵保証と共に、保証されるようにすることにある。さらにねじキャップからのオリジナリティリングの良好な分離及びこれに続く、裂断されたオリジナリティリングの、容器のねじ山付き管状接続部上における確実な固定が保証されるようにすることにある。
この課題は本発明によれば、容器であって、ねじキャップおよび該ねじキャップに懸架される、オリジナリティ保証エレメントとしての係止クラウンを有し、この場合容器が内容物充填用管状接続部の外側に係止突起を有しており、該係止突起の後側へ係止クラウンのばね舌状片が、ねじキャップの閉鎖位置において、弛み不能に係止され、ねじキャップが再度回されたときに、ねじキャップと係止クラウンとの間に、設定破壊個所として形成された複数の薄い結合ウエブが裂断される形式のものにおいて、容器側に別の回動突起が、ねじキャップ側にばね舌状片が互いに相応する係止エレメントとして設けられていて、回動突起及びばね舌状片が、ねじキャップが僅かに締め方向にねじはめられたさいに、ねじキャップのほぼ１回転後に、それもこれらの回動突起及びばね舌状片が最終的な密封閉鎖位置に達する前にかつ係止クラウンのばね舌状片が容器側のソケット係止突起の後側に弛み不能に係止される前に、互いに不動に作用接続されもしくは前係止位置へ達し、これにより、ねじキャップの自動的な戻り回転若しくはねじキャップの弛みが確実に防止され、しかもねじキャップが、ばね舌状片の弾性的なばね力に相応するある程度の固定力の克服によって、再び容易にねじ外し可能であることによって、解放されている。
さらに本発明の別の−構成によれば、ねじ山付き管状接続部若しくは下側のねじ山付き管状接続部−ソケット部の外壁に、又はソケット部若しくは容器上底部の上方又は斜め上方に向いている面に、少なくとも１つの、しかし有利には２つ又はそれ以上の、対称に配置された、比較的フラットな、前置カムとしての突起が形成されており、該突起が、ねじキャップがほぼ１回転だけ僅かにねじはめられた後に、ねじキャップ側の係止エレメント若しくはクラウンの弾性的なばね舌状片の１つ又は複数のばね舌状片の後側に互いに不動に作用接続され、これにより、例えば輸送中の振動によるねじキャップの自動的な若しくは非意図的な戻り回転が防止され、しかもねじキャップが必要十分な固定力、即ち回動防止力（例えばばね舌状片のばね力）が克服されることにより再びねじ外し可能である。これにより、ねじキャップは、防塵が保証された安全な輸送のため、容器上の前係止位置へねじはめられこの係止位置に確実に保持されることができる。
本発明のねじキャップは別個に予め製作された、差込み式の係止クラウンを有していることができる。しかし有利な構成では、ねじキャップ若しくは栓体は高分子ポリエチレン（ＰＥ）から成る係止クラウンと一体に射出成形して製作される。これにより、良好な低温時落下強度をもって全ての許容条件を満たすことができる。ねじ山付き管状接続部上における前係止及び切離された係止クラウンを確保する機能は、ねじキャップ若しくは栓体と容器−上底部若しくは容器管状接続部との機能的な協働によってえられる。
本発明の一構成によれば、係止クラウン（オリジナリティリング）の、ねじキャップ側の上縁部上に少なくとも１つの上方へ突出した連行突起が形成されており、有利には２つの互いに直径方向で反対側に連行突起が形成されており、該連行突起がねじキャップの下縁部の相応する、対向する切欠き部内へ形状接続的に係合する。
形状接続的に互いに係合する連行突起の特別の構成により、薄い結合ウエブの感知可能な負荷又は過度の伸びが、一方では、前係止位置へのねじキャップのねじはめのさいに、他方では、密封閉鎖位置へねじキャップが不動に締込まれるさいに、確実に避けられる。ねじキャップがその不動の密封結合状態から最初に回わされて弛められるさいに、不動に係止された係止クラウンに対して薄い結合ウエブが裂断され、この場合両部分の、目で良く見ることができる分離は、ねじキャップの下縁部及び係止クラウンの上縁部にある連行突起の両方の傾斜した面が上と下とで互いに滑り合い係止クラウンが下方へ押し離されることによって、行われる。これにより、ねじキャップが新たに回わされた場合にもねじキャップと係止クラウンとの間の明瞭に目で見ることができる分離ギャップが残され、その結果直ちに最初に閉鎖された状態がなお保持されているか、即ち当該容器がはじめに閉鎖されたままの容器であるか、又は容器がその間に既に、例えばその権限のない者の手によって開けられた容器であるかが判明する。
本発明のさらに別の有利な−構成によれば、ソケット部の上縁部の外周側の係止突起の上側に、薄い、半径方向外側へ環状に延びている縁突起が形成されていて、該縁突起が、ねじキャップが閉鎖位置へ回わされたさいに、係止クラウンの半径方向で内側へ向けられたばね舌状片、即ち係止クラウンの係止エレメントに係合する。この構成により、ねじキャップが外された後若しくは弛められた後、切離された係止クラウン（オリジナリティリング）は容器のねじ山付き管状接続部のソケット部上にとどまり、容器を倒立させたときもまた容器を振ったときにも落下しない。
本発明は以下に図示の実施例について詳細に説明される。
図１はねじキャップ及びこれと一体の係止クラウンを有する本発明のプラスチック容器を示す図、
図２は係止クラウンを有するねじキャップの側面図、
図３は係止クラウンを有するねじキャップの断面図、
図４は図２のねじキャップを下からみた下面図、
図５は図１の容器の充填用及び排出用管状接続部の範囲の部分的断面図、
図６は図５の充填用管状接続部の平面図、
図７ａは図６の充填用管状接続部の範囲の部分的拡大平面図、
図７ｂ，ｃはそれぞれ図７ａの部分的拡大断面図、
図８はねじキャップが装着される、内容物充填用管状接続部を示す図、
図９は前係止位置へねじはめられたねじキャップを示す図、
図１０は閉鎖位置に固くねじはめられたねじキャップを示す図、
図１１は外されたねじキャップと内容物充填用管状接続部のソケット部上に固定されている、ねじキャップから切離された係止クラウンを示す図、
図１２ａは前係止位置へ達する直前の位置における係止クラウンの部分的拡大断面図、
図１２ｂは前係止位置から外される図１２ａの係止クラウンを示す図である。
図１には符号１０でプラスチック容器が示されており、その上には、一体に射出成形された係止クラウン１４を有するねじキャップ１２がねじはめられる。一体のねじキャップ１２及び係止クラウン１４は高分子ポリエチレン（ＰＥ）から成る。
図２から判るように、係止クラウン１４は専ら、裂断−設定破壊個所としての複数の極めて薄い、有利には６つの結合ウエブ１６のみを介してねじキャップ１２に結合されている。この結合ウエブ１６はほぼ１ｍｍ2の小さい横断面を有しているに過ぎない。さらに図面には、係止クラウン１４上に形成された上方へ突出した連行突起１８が示されており、これは右側の垂直のストッパエッジ２０及び左側のスリップ傾斜エッジ２２を有している。ねじキャップ１２の下縁には上記連行突起１８の形状に相応する形状の切欠き部２４が形成されており、該切欠き部２４内へ連行突起１８が形状接続的に侵入している。係止クラウン１４の上縁にはさらに４つの方形の一貫した成形部２６が形成されており、該成形部２６により内側のばね舌状片３４の高さが減じている。係止クラウン１４はその後側も正確に同一に形成されている。
図３にはねじキャップ１２及び係止クラウン１４が断面図で示されている。係止クラウン１４を有するねじキャップ１２の図４に示された下面図には、ねじキャップ１２の取り外し回転方向に対して斜め逆向きに延びているばね舌状片３４（係止クラウンの係止エレメント）及び、係止クラウン１４とねじキャップ１２との間の、設定破壊個所として役立つ結合ウエブ１６がみえている。
図５には、下側ソケット部３０を有する容器１０の内容物充填用管状接続部２８が側面図で、また図６には平面図で示されている。ソケット部３０の外周には、取り付け−回転方向に向いた鋸歯状の係止突起３２（容器側の係止エレメント）が形成されている。さらに、ソケット部３０の上側の環状面上には、直径方向でみて互いに反対側にある２つの、軸方向にほぼ２ｍｍだけ突出した回動突起若しくは前係止突起３６がみえている。
図７ａにはこれらの係止突起３２及び回動突起３６が拡大して示されている。図７ａの断面線Ａ−Ｂ及びＣ−Ｄによる、図７ｂ及び図７ｃの断面図には、ソケット部３０の上側の軸方向の回動突起３６並びにソケット部３０の上縁に沿って環状に延びかつ半径方向で外側へ突出している縁突起３８が示されており、該縁突起の後側に係止クラウン１４のばね舌状片３４が係合し、切離された係止クラウンの落下を防止する。
機能の説明（図８〜１２）
図８には、容器の内容物充填用管状接続部２８上にねじはめられる、係止クラウン１４を有するねじキャップ１２が示されている。
図９ではねじキャップ１２はねじ山付き管状接続部上に、取外し可能な前係止位置まで既にねじはめられている。
係止クラウン１４を有するねじキャップ１２の確実な前係止は、最初のばね舌状片３４又はオリジナリティリング若しくは係止クラウンの係止薄板が、内容物充填用管状接続部−ソケット部３０の上向き若しくは斜め上向きの環状面上の両方のほぼ１〜２ｍｍだけ軸方向に突出した回動突起３６若しくは前係止突起に結合することによって、行われる。容器の閉鎖若しくはねじキャップのねじはめのさい、ねじキャップのほぼ1/2回転乃至完全な１回転後に、１つ又は２つのばね舌状片が回動突起に接触する。係止クラウンの弾性的なばね舌状片は次いで僅かな回転モーメントでこれらの前係止突起若しくは回動突起を越えて回わされ、その後側へ係止され、若しくはその後側のノーマル位置へ弾性的に係止される。これにより、輸送のためねじキャップは、結合ウエブ１６、即ち設定破壊個所の裂断を伴うことがある著しく大きな負荷をかけることなく、回動を防止され、又は振動により自動的に外されることを防止される。
このことは、図１０から判るように、係止クラウン１４の上縁における両連行突起１８の、ねじキャップ１２の下縁の相応する切欠き部２４内へ係合する特別の構成によって可能になる。ねじキャップ１２がねじを締める方向に回わされると、連行突起１８の右側の垂直のストッパエッジ２０がねじキャップ１２の相応して形成された垂直のストッパエッジに達し、この場合殊にねじキャップがその気密及び液密の閉鎖位置へ固く締め込まれるさい、結合ウエブ１６に感知可能な負荷を生じることなしに、大きな回転モーメントが伝達可能である。ねじキャップ１２がねじを弛める方向に回わされるとねじキャップ縁部の緩い傾斜縁が連行突起１８の左側の相応する滑り傾斜縁２２に達する。ソケット部外周にある係止突起３２の後側へ係止するばね舌状片３４若しくは係止薄板による係止クラウンの周方向の固定の他に、両傾斜面相互の滑りによりねじキャップからの係止クラウンの軸方向の押し離しが行われ、これにより、設定破壊個所若しくは薄い結合ウエブ１６の確実な裂断が行われる。
このことは図１１に示されている。ねじキャップ１２が外されかつ設定破壊個所が裂断された後、オリジナリティリング若しくは係止クラウン１４はソケット部３０上に残される。それというのは、高さ方向で短くされている、方形の成形部２６の範囲のばね舌状片３４が、軸方向に突出して環状に延びている縁突起３８の後側へ形状接続的に係合し、オリジナリティリングの落下を容器の倒立位置においてもまた容器の振動のさいにも確実に防止するからである。
図１２ａには前係止位置におけるねじキャップ１２の固定状態が再び示されている。ねじキャップが最初にねじはめされるさい、ねじキャップのほぼ１回転後に最初のばね舌状片３４が前係止突起３６と接触せしめられる。同じことはソケット部３０の反対側でも行われる。ばね舌状片は弾性的に外方へ曲がりかつ前係止突起３６の右側の急勾配のエッジ４０を越えて、それも後側のノーマル位置へ弾性的に戻りねじキャップが非意図的に自動的に外れることがなくなるところまで、滑る。
ねじキャップが前係止位置から外される場合、ばね舌状片３４は、図１２ｂに示されているように、弾性的に左側の傾斜エッジ４２を越えて滑る。前係止突起３６の左側のエッジ４２は、ばね舌状片の引っ掛かりが生じえないような緩い傾斜に形成されている。従って前係止状態から解放するにはたんに単数又は複数の舌状片の弾性的なばね力を克服するだけでよい。
先に述べたように、本発明の構成は、適宜の形式で、例えば栓付き樽に用いることができる。
符号の説明
１０  プラスチック容器
１２  ねじキャップ
１４  係止クラウン
１６  結合ウエブ（設定破壊個所）
１８  連行突起
２０  垂直のストッパエッジ
２２  滑り傾斜エッジ
２４  相応する切欠き部
２６  方形の成形部
２８  内容物充填用管状接続部
３０  ソケット部
３２  外周側の係止突起
３４  内側のばね舌状片
３６  軸方向の回動突起
３８  環状の係止突起
４０  急勾配のエッジ
４２  緩勾配のフラットなエッジ
【図１】
0003717521.tif 000002
【図２】
0003717521.tif 000003
【図３】
0003717521.tif 000004
【図４】
0003717521.tif 000005
【図５】
0003717521.tif 000006
【図６】
0003717521.tif 000007
【図７ａ】
0003717521.tif 000008
【図７ｂ】
0003717521.tif 000009
【図７ｃ】
0003717521.tif 000010
【図８】
0003717521.tif 000011
【図９】
0003717521.tif 000012
【図１０】
0003717521.tif 000013
【図１１】
0003717521.tif 000014
【図１２ａ】
0003717521.tif 000015
【図１２ｂ】
0003717521.tif 000016